(57)【要約】【課題】  浴槽の湯につかっている入浴者の頭部を牽引する場合に、牽引力を種々に変えることができるようにする。【解決手段】  浴槽壁部１０２，１０３等に取り付けられ、支持部２３が浴槽１００の上方に配置される支持具２と、浴槽１００内の入浴者Ｍが体重の一部をかけることにより、入浴者Ｍの頭部Ｍ１を上向きに牽引する吊り具５と、上端側が支持具２の支持部２３側に取り付けられるとともに、下端側に吊り具５が取り付けられ、吊り具５からの牽引力Ｐを支持具２に伝え、かつ、吊り具５の上下位置を変更することにより、入浴者Ｍに加わる浮力Ｆを変更して、吊り具５による牽引力Ｐを変更する吊り位置変更具４とを有する。【選択図】        図５
2005218467.tif 000002
【特許請求の範囲】
【請求項１】
少なくとも浴室壁面又は浴槽の何れかに取り付けられ、支持部が浴槽の上方に配置される支持具と、
前記浴槽内の入浴者が体重の一部をかけることにより、この入浴者の頭部を上向きに牽引する吊り具と、
上端側が前記支持具の前記支持部側に取り付けられるとともに、下端側に前記吊り具が取り付けられ、前記吊り具による牽引力を前記支持具に伝えるとともに、前記吊り具の上下位置を変更することにより、前記入浴者に加わる浮力を変更して、前記吊り具による牽引力を変更する吊り位置変更具とを有することを特徴とする入浴式頭部牽引器具。
【請求項２】
前記支持具は、門形形状に形成されていて、下端部が前記浴槽の対向する両壁部上に着脱容易に取り付けられるとともに、配管用のパイプ材とこれを連結するフィッティング材とを用いて組み立て及び分解容易に形成されていることを特徴とする請求項１記載の入浴式頭部牽引器具。
【請求項３】
前記支持具は、前記門形形状の水平部の一端と垂直部の上端とを連結する前記フィッティング材の部分が、この水平部を貫通させるように形成されていることを特徴とする請求項２記載の入浴式頭部牽引器具。
【請求項４】
前記支持具は、前記浴室壁面に取り付けられる固定部から、前記支持部となるアーム部が前記浴槽上方に延びるように形成されており、前記アーム部が、前記固定部に取り外し容易に取り付けられるか、又は、回動して前記浴室壁面に添わすことができるように前記固定部に取り付けられていることを特徴とする請求項１記載の入浴式頭部牽引器具。
【請求項５】
前記支持具は、対向する一対の前記浴室壁面間に、前記浴槽上方を通過するように掛け渡され、両端部が前記浴室壁面を加圧して固定されるものから形成されていることを特徴とする請求項１記載の入浴式頭部牽引器具。
【請求項６】
前記吊り位置変更具は、前記支持具側に設けられた引っ掛け具に、上端側の種々の位置を引っ掛けることにより、下端側の前記吊り具の取付部を上下動できるくさりから形成されていることを特徴とする請求項１乃至５の何れかに記載の入浴式頭部牽引器具。
【請求項７】
前記吊り位置変更具中、又はこの吊り位置変更具の上端側若しくは下端側には、前記吊り具による牽引力を計測する荷重計が取り付けられていることを特徴とする請求項１乃至６の何れかに記載の入浴式頭部牽引器具。
【請求項８】
浴槽上方で支持される吊り具を頭部に装着した浴槽内の入浴者が、前記吊り具に体重の一部をかけることにより、この入浴者の頭部を前記吊り具により上向きに牽引する際に、前記吊り具と前記浴槽内の湯面との距離を変えることにより、入浴者に加わる浮力を変更して、前記吊り具による牽引力を変更するようにしたことを特徴とする入浴式頭部牽引方法。
【発明の詳細な説明】
【技術分野】
【０００１】
本発明は、入浴時に頭部を牽引して健康増進等を図る、入浴式頭部牽引器具及び入浴式頭部牽引方法に関するものである。
【背景技術】
【０００２】
頸椎等の背骨のゆがみは年齢を増すに従って大きくなる傾向があるため、中高年者には、頸椎等のゆがみに起因する、手足のしびれ、肩こり、腰痛といった症状を有する者が多い。このような症状を有する者は、整形外科病院等に通院して、牽引治療器を用いた治療等を受ける必要があるが、治療に長期間を要することや、治療費がかさむことから、症状が重くならないと治療を受けなかったり、治療を受けても、完治する前に、途中で治療をやめてしまうのが実情である。また、治療が長期化することを考慮して、医療器（例えば、電位治療器等）を購入し、自宅で手軽に治療をすることも考えられるが、医療器が高額なため、在宅治療も容易に行えるものではない。したがって、自宅で頸椎等のゆがみを手軽に直して健康増進が図れる簡単な機器の出現が望まれていた。
【０００３】
一方、自宅での入浴時に頭部の牽引を行って、頸椎等のゆがみを直す簡単な牽引器具も提案されている（特許文献１）。この牽引器具は、浮力を利用した小さな牽引力で頭部を牽引できるという点と、体が温まった気持ちよい状態で頭部を牽引できるという点の２つの利点を有している。
【０００４】
【特許文献１】登録実用新案第３０１９２９６号公報
【発明の開示】
【発明が解決しようとする課題】
【０００５】
しかしながら、上記特許文献１記載の牽引器具では、浴槽内の入浴者が頭部を浴槽に差し渡した支持板に支持させた状態で、体重の一部を頭部にかけるようにするものであるので、頭部側にかける牽引力を種々に変化させることはできない。一方、頸椎等のゆがみを直して健康増進を図るには、ゆがみの程度等に応じて、頭部側にかける牽引力を種々に（例えば、５〜１３Ｋｇ程度）変化させる必要がある。
【０００６】
したがって、上記牽引器具は、ごく限られた範囲又は程度の軽い頸椎等のゆがみを直して健康増進を図るのには向いているかもしれないが、種々の程度の頸椎等のゆがみを直して健康増進を図るのには向いておらず、使用範囲が狭いという問題があった。
【０００７】
この発明は、以上の点に鑑み、浴槽内で入浴者の頭部を牽引する場合に、牽引力を種々に変えて健康増進を図ることができる、簡単な構造の入浴式頭部牽引器具を提供することを目的とする。
【０００８】
また、この発明は、浴槽内で入浴者の頭部を牽引する場合に、簡単に牽引力を変えて健康増進を図ることができる入浴式頭部牽引方法を提供することを目的とする。
【課題を解決するための手段】
【０００９】
この発明の請求項１記載の入浴式頭部牽引器具の発明は、少なくとも浴室壁面又は浴槽壁部の何れかに取り付けられ、支持部が浴槽の上方に配置される支持具と、浴槽内の入浴者が体重の一部をかけることにより、この入浴者の頭部を上向きに牽引する吊り具と、上端側が前記支持具の前記支持部側に取り付けられるとともに、下端側に前記吊り具が取り付けられ、前記吊り具による牽引力を前記支持具に伝えるとともに、前記吊り具の上下位置を変更することにより、前記入浴者に加わる浮力を変更して、前記吊り具による牽引力を変更する吊り位置変更具とを有することである。
【００１０】
この発明では、浴槽に入った入浴者は、吊り位置変更具を介して支持具に支持されている吊り具を頭部に装着する。つづいて、入浴者が浴槽の底部に足先をつけつつ体を横に伸ばして浴槽の湯につかる（この状態を入浴状態という）と、尻が浮いた状態になるとともに、体に対する湯面の位置が定まるので、湯による上向きの浮力が決定される。つぎに、浴槽から手を離すと、体は、足先と吊り具とで支えられた状態になるので、吊り具には体重から浮力を差し引いた荷重の一部が吊り荷重として加えられ、この吊り荷重（牽引力）によって頭部が上方に牽引される。もちろん、入浴者は頭部に吊り具を装着して浴槽に入り、その後、吊り具を、吊り位置変更具に取り付けて、支持具に支持させるようにしてもよい。
【００１１】
牽引力を変更（例えば増加）する場合には、吊り位置変更具により吊り具の位置を所定量だけ上げればよい。このことにより、入浴者が、吊り具を装着して入浴状態になった場合、例えば上半身の一部が湯面から余分に突き出ることとなるため、その分、湯による浮力が減少し、その影響で、吊り具にかかる牽引力が増加する。
【００１２】
この発明の請求項２記載の発明では、請求項１記載の発明の場合に、前記支持具は、門形形状に形成されていて、下端部が前記浴槽の対向する両壁部上に着脱容易に取り付けられるとともに、配管用のパイプ材とこれを連結するフィッティング材とを用いて組み立て及び分解容易に形成されていることである。
【００１３】
この発明の請求項３記載の発明では、請求項２記載の発明の場合に、前記支持具は、門形形状の水平部の一端と垂直部の上端とを連結する前記フィッティング材の部分が、この水平部を貫通させるように形成されていることである。
【００１４】
この発明の請求項４記載の発明では、請求項１記載の発明の場合に、前記支持具は、前記浴室壁面に取り付けられる固定部から、前記支持部となるアーム部が前記浴槽上方に延びるように形成されており、前記アーム部が、前記固定部に取り外し容易に取り付けられるか、又は、回動して前記浴室壁面に添わすことができるように前記固定部に取り付けられていることである。
【００１５】
この発明の請求項５記載の発明では、請求項１記載の発明の場合に、前記支持具は、対向する一対の前記浴室壁面間に、前記浴槽上方を通過するように掛け渡され、両端部が前記浴室壁面を加圧して固定されるものから形成されていることである。
【００１６】
この発明の請求項６記載の発明では、請求項１乃至５の何れかに記載の発明の場合に、前記吊り位置変更具は、前記支持具側に設けられた引っ掛け具に、上端側の種々の位置を引っ掛けることにより、下端側の前記吊り具の取付部を上下動できるくさりから形成されていることである。
【００１７】
この発明の請求項７記載の発明では、請求項１乃至６の何れかに記載の発明の場合に、前記吊り位置変更具中、又はこの吊り位置変更具の上端側若しくは下端側には、前記吊り具による牽引力を計測する荷重計が取り付けられていることである。
【００１８】
この発明の請求項８記載の入浴式頭部牽引方法の発明は、浴槽上方で支持される吊り具を頭部に装着した浴槽内の入浴者が、前記吊り具に体重の一部をかけることにより、この入浴者の頭部を前記吊り具により上向きに牽引する際に、前記吊り具と前記浴槽内の湯面との距離を変えることにより、入浴者に加わる浮力を変更して、前記吊り具による牽引力を変更するようにしたことである。
【００１９】
この発明では、吊り具の上下位置は固定し、浴槽への湯の供給量を加減して、浴槽の湯面の上下位置を変更し、入浴者に加わる浮力を変更するようにしてもよい。
【発明の効果】
【００２０】
この発明の請求項１記載の発明によれば、浴槽内で入浴者の頭部を牽引する場合に、簡単に牽引力を変えることができ、この入浴式頭部牽引器具を用いて、種々の程度の頸椎等のゆがみを直しつつ健康の増進を図ることができる。もちろん、この発明では、この器具の使用者（入浴者）は、浮力を利用した比較的小さな牽引力で無理なく、かつ、入浴時に継続的に、更に、浴槽内で体を温めつつ、気持ちのよい状態で頭部の牽引をすることができる。
【００２１】
この発明の請求項２記載の発明によれば、支持具や吊り具等を浴槽側から容易に取り外しておくことができ、頭部を牽引する入浴者以外の者が入浴する場合に、この入浴式頭部牽引器具が入浴のじゃまになるのを防止できる。また、支持具も、多くのものが既存の配管材を用いて形成できるので、その製作コストを下げることができる。
【００２２】
この発明の請求項３記載の発明によれば、浴槽の幅サイズに応じて、支持具の水平部（支持部）を配置できるので、１つの支持具を種々のサイズの浴槽に取り付けることができる。したがって、種々の浴槽に対して、一種類の入浴式頭部牽引器具があればよいこととなる。
【００２３】
この発明の請求項４記載の発明によれば、浴室壁面に取り付けられる固定部から浴槽側に延びるアーム部が、取り外し容易、又は、浴室壁面側に回動できるので、支持具自体又は支持具の固定部が浴室壁面に取り付けたままであっても、これらが他の入浴者の入浴のじゃまになることはない。また、頭部を牽引する場合でも、入浴者は、支持具による支持の準備を容易になすことができる。
【００２４】
この発明の請求項５記載の発明によれば、支持具の取り付け・取り外しが容易であるとともに、支持具に既存の衣類等かけ用の突っ張り棒等が利用できるので、コストの低減を図ることができる。
【００２５】
この発明の請求項６記載の発明によれば、簡単な構造の吊り位置変更具により、吊り具の上下位置を容易に変更できる。
【００２６】
この発明の請求項７記載の発明によれば、吊り具による牽引力を容易に認識できるとともに、吊り具の上下位置により、種々の牽引力を容易に設定できる。
【００２７】
この発明の請求項８記載の発明によれば、請求項１記載の発明と同様の効果を得ることができる。
【発明を実施するための最良の形態】
【００２８】
以下、この発明の実施の形態を図面を参照しつつ説明する。
図１はこの発明の一実施の形態に係る入浴式頭部牽引器具の一例を示している。
【００２９】
入浴式頭部牽引器具１は、図１で示されるように、浴室Ｙ内の浴槽１００上等に設置される支持具２と、支持具２に取り付けられる引っ掛け具としてのフック３と、浴槽１００の湯溜め部１０１上方でフック３に取り付けられる吊り位置変更具４と、吊り位置変更具４の下端側に取り付けられる吊り具５とから構成されている。なお、壁部１０２は、上端のフランジ部Ｃと湯溜め部１０１側の壁部とから形成され、壁部１０３は、フランジ部Ｃと湯溜め部１０１側の壁部とフランジ部Ｃの外側のパネルＤとから形成されている。
【００３０】
支持具２は、図１で示されるように、組み立て及び分解容易な門形形状に形成されていて、一対の下端部が浴槽１００の長手方向端部（入浴時の背もたれ部１０６）近傍の、対向する一対の壁部１０２，１０３の上面側に着脱容易に取り付けられている。この支持具２は、浴槽１００の壁部１０２，１０３上に設置される固定部２０，２１と、固定部２０，２１から上方に立ち上がる一対の垂直部２２，２２と、垂直部２２，２２の上端間に浴槽１００の湯溜め部１０１上方を横ぎるように配置される支持部としての水平部２３と、垂直部２２，２２と水平部２３とを連結する連結部２４とから構成されている。
【００３１】
固定部２０は、浴室壁面Ｗに接して設けられた浴槽１００の壁部１０２上に設置されるものであり、壁部１０2に密着するように載置されるＬ形基部２０ａ上に、垂直部２２差し込み用のパイプ部２０ｂが形成されたものである。また、固定部２１は、浴室壁面Ｗに接していない浴槽１００の壁部１０３の上部が、がたつきなく嵌め込まれる（コ）の字形の基部２１ａ上に、垂直部２２差し込み用のパイプ部２１ｂが形成されたものである。固定部２０，２１は、塩ビ等の樹脂材によって一体的に形成されるか、又は平板状の樹脂材と、例えば塩ビ配管の差込型のパイプ連結継手の一部とを接着等により結合することにより形成されるものである。パイプ部２０ｂ，２１ｂの孔は、垂直部２２が、がたつきなく密着するように差し込まれるサイズ、又は、下部側がやや小径になっていて、垂直部２２が差し込まれた後、密着固定されるサイズに形成されている。
【００３２】
垂直部２２及び水平部２３は、例えば外径２６ｍｍの水用塩ビ配管から形成されている。連結部２４は、外径２６ｍｍの水用塩ビ配管の差込型９０度エルボ（９０度タイプの差込型配管フィッティング）から形成されている。この連結部２４の孔サイズは、内方がやや小径となっているので、これに垂直部２２や水平部２３をやや強い力で差し込めば、これ等は充分に連結され、かつ、これらの一方をやや強い力で引けば、これらは容易に分解される。
【００３３】
なお、支持具２は、浴槽１００の壁部１０２，１０３上面からの高さＨが約６２０ｍｍ、一対の垂直部２２，２２間の長さＬが約６００ｍｍとなるサイズに形成されている。
【００３４】
フック３は、直径約３５ｍｍのリング部３０の下部に、鍵状のフック部３１が形成されたもので、リング部３０に支持具２の水平部２３を通すことにより、支持具２に取り付けられる。このフック３は、例えば、直径５ｍｍのステンレス棒を曲げることにより形成されている。
【００３５】
吊り位置変更具４は、上端側がフック３に引っ掛けられて取り付けられるとともに、下端側に吊り具５が取り付けられ、吊り具５からの牽引力（吊り荷重）Ｐを支持具２に伝えるとともに、吊り具５の上下位置Ａを変更することにより、入浴者Ｍ（図５参照）に加わる浮力Ｆを変更して、吊り具５による牽引力Ｐを変更する機能を有するものである。
【００３６】
この吊り位置変更具４は、図２で示されるように、例えば１２個の金属製リングをつなぎ合わせた全長が約３００ｍｍ程度のくさりであり、１１コの小リング４０をつなぎ合わせたものの下端に、吊り具５の取付部となる大リング４１をつないだものである。小リング４０は、例えば、直径３．５ｍｍのステンレス棒を、上部と下部とが円弧状をし、長さが約３２ｍｍ、幅が約１５ｍｍとなるように連結したものである。また、大リング４１は、例えば、直径４ｍｍのステンレス棒を、上部と下部とが円弧状をし、長さが約４５ｍｍ、幅が約２０ｍｍとなるように連結したものである。
【００３７】
この大リング４１には、図３で示されるように、開閉部Ｋが形成されていて、吊り具５が容易に吊り下げできるようになっている。開閉部Ｋは、リング片４１ａの一端を、残部４１ｂの一端にピン４１ｃを介して回動自在に連結し、リング片４１ａの他端と残部４１ｂの他端とを、互いの凹凸連結部４１ｄ，４１ｅを嵌合さるようにして、着脱容易に連結したものである。
【００３８】
吊り具５は、図４で示されるように、浴槽１００内に入浴中の入浴者Ｍの頭部Ｍ１に装着され、この入浴者Ｍがこれに体重の一部をかけることにより、この入浴者Ｍの頭部Ｍ１を頸椎を延ばすように上向きに牽引する機能を有するものである。
【００３９】
この吊り具５は、図２で示されるように、入浴者Ｍの頭部Ｍ１を覆う防水布製の本体部５０と、本体部５０の上部側に縫い付けられた一対の吊りバンド５１，５１と、吊りバンド５１に取り付けられた金属製の吊りリング５２と、本体部５０の左右の側部にそれぞれ縫いつけられた、締め付けバンド５３及び金具止めバンド５４と、金具止めバンド５４に取り付けられた締め付け金具５５とから構成されている。
【００４０】
本体部５０には、入浴者Ｍのあごから顔の左右側部及び左右の側頭部を覆う前部５０ａと、後頭部側を覆う後部５０ｂとが形成されており、上部と下部とには、開口が形成されている。吊りバンド５１は、本体部５０の前部５０ａと後部５０ｂとの接合部の上端側に下部が取り付けられている。締め付けバンド５３は、一端が後部５０ｂの下部に取り付けられ、金具止めバンド５４は、一端が前部５０ａの下部に取り付けられていて、金具止めバンド５４を、締め付け金具５５の中間バー５５ａに巻き付けるように差し込むことにより、本体部５０の前部５０ａと後部５０ｂとが近づけられ、本体部５０が入浴者Ｍの頭部Ｍ１に密着するようになる。
【００４１】
つぎに、この入浴式頭部牽引器具１の浴槽１００上への取り付けと、取り外しについて説明する。まず、浴槽１００の背も立れ部１０６近傍の、浴室壁面Ｗに接する壁部１０２上に固定部２０を載置する。これは、本体部２０ａを壁部１０２の上面と内側面とに当接させることにより行う。つづいて、固定部２１を、固定部２０に対向させるように、浴槽１００の壁部１０３上に載置する。これは、固定部２１の溝Ｕに壁部１０３の上部側を嵌め込むようにして行う。固定部２１の溝Ｕの幅は壁部１０３の厚さと略同サイズに形成されているので、固定部２１を壁部１０２に嵌め込むことにより、これは容易に固定される。
【００４２】
つづいて、２つの垂直部２２，２２の一端を、それぞれの連結部２４に一定の力で差し込んだ後、連結部２４の他端側に、フック３が支持された水平部２３の端部を一定の力で差し込んで門形架台を形成し、この下端を固定部２０，２１のパイプ部２０ｂ，２１ｂ中に一定の力で差し込むと、フック３を有する支持具２の浴槽１００上への取り付けは終了する。２つの固定部２０，２１は浴槽１００上に載置されるものであるが、門形架台をこれらに取り付けることにより、固定部２０，２１を含めて、この支持具２は浴槽１００上にしっかりと固定される。
【００４３】
つづいて、吊り位置変更具４の上部側をフック３に引っ掛けて大リング４１の上下位置を調整し、開閉部Ｋを介して、大リング４１に吊り具５の吊りリング５２を取り付ければ、この入浴式頭部牽引器具１の浴槽１００上への取り付け作業は終了する。なお、吊り具５の吊り位置変更具４への取り付けは、吊り具５を頭部Ｍ１に装着後、行ってもよい。
【００４４】
つぎに、この入浴式頭部牽引器具１を用いて入浴者Ｍの頭部Ｍ１を牽引する場合の入浴手順について説明する。
裸になった入浴者Ｍは、浴槽１００内に入り、吊り位置変更具４にぶら下げられている吊り具５を頭部Ｍ１に装着する。この場合、吊り具５の締め付けバンド５３を緩めるか、又は締め付け金具５５から外して、吊り具５の本体部５０の下部側開口から頭部Ｍ１を差し込み、前部５０ａにあごを掛けて、これで側頭部を覆うとともに、後部５０ｂで後頭部を覆う。つづいて、締め付けバンド５３を引くか、又は締め付けバンド５３を締め付け金具５５に巻き付けて引くことにより、吊り具５を頭部Ｍ１に密着させる。
【００４５】
つづいて、入浴者Ｍは、両手と両足の端部で体を支えながら体を横に伸ばして、尻を浮かしつつ浴槽１００の湯Ｑに肩Ｍ２の下部までつかって入浴し、吊り具５に体重の一部を支えさせる。そして、両手を浴槽１００から離せば、体重は浴槽１００底部につけた足先と吊り具５につながる頭部Ｍ１によって支えられ、入浴者Ｍの頭部Ｍ１は、吊り具５によって上方に牽引され、入浴者Ｍの頸椎は引き伸ばされる。この場合、入浴者Ｍには、体重Ｎと湯Ｑによる浮力Ｆとが作用するため、入浴者Ｍが足先と頭部Ｍ１に感じる力は、合計Ｎ−Ｆであり、体の重心の位置を考慮すると、この５割以上の力が頭部Ｍ１を牽引する。ちなみに、体重６３Ｋｇの者がこのような状態（肩Ｍ２の上端と湯面Ｑ１間の持ち上がり距離Ｓが例えば５ｃｍの状態）で入浴した場合、頭部Ｍ１には５Ｋｇの牽引力（吊り荷重）Ｐが作用する。
【００４６】
このように、この入浴式頭部牽引器具１では、入浴時に体を温めつつ頭部を牽引できるので、入浴者は体が温まった心地よい状態で頸椎を引き伸ばして、そのゆがみを直すことができ、入浴中に手足のしびれ、肩こり、腰痛といった症状を和らげて健康増進を図ることができる。この場合、吊り具５に体重Ｎの大部分をかけても、浮力Ｆが作用するので、牽引力Ｐを小さく抑えることができ、無理なく健康増進を図ることができる。また、入浴は毎日又は一日おきに必ずなされるので、頭部Ｍ１の牽引もこれに合わせたペースでなすことができ、健康増進の効果を容易に継続させることができる。さらに、この入浴式頭部牽引器具１は、組み立て分解が容易であり、頭部の牽引を行うものが、その都度組み立て、分解すればよいので、この器具１が他の入浴者の入浴の邪魔になることもない。
【００４７】
なお、頭部Ｍ１を牽引する場合の入浴方法には、図７で示されるように、足先を浴槽１００の壁部上面にもたせかけるようにする方法もある。この場合、足先が湯面Ｑ１から上方にでるので、浮力Ｆがやや小さくなり、例えば、入浴者Ｍの体重が６３Ｋｇで、持ち上がり距離Ｓが５ｃｍの場合、この入浴者には、頭部Ｍ１に６Ｋｇ程度の牽引力（吊り荷重）Ｐが作用する。
【００４８】
つぎに、この入浴式頭部牽引器具１による牽引力Ｐの増減について説明する。牽引力Ｐの増減は、吊り具５の浴槽１００からの距離を増減して入浴者Ｍに作用する浮力Ｆを変化させることにより達成できる。吊り具５を、入浴者Ｍが特定の状態（持ち上がり距離Ｓが０であり、入浴者Ｍが浴槽１００中の湯Ｑに肩Ｍ２の上端までつかる状態）で入浴できる上下位置Ａより上昇させることにより、入浴者Ｍの体（肩Ｍ２等）は浴槽１００中の湯面Ｑ１の位置より順次持ち上がるとともに、湯面Ｑ１自身も幾分下降する。このため、入浴者Ｍに作用する浮力Ｆが減少し、頭部Ｍ１の牽引力Ｐが増加することとなる。また、図６で示されるように、吊り具５の上昇によって、入浴者Ｍの体がしだいに立ってくるので、入浴者Ｍの重心の位置も足先側から頭部Ｍ１側に移動し、この影響によっても、頭部Ｍ１の牽引力（吊り荷重）Ｐが増加する。
【００４９】
吊り具５の上下位置Ａを上げるためには、吊り位置変更具４のフック３による吊り位置を変更し、吊り位置変更具４の大リング４１の位置を上昇させてやればよい。吊り位置変更具４は、長さ３２ｍｍの小リング４０をつなぎ合わせたものであるので、吊り具５の上下位置Ａも３２−７＝２５ｍｍ単位で変化させることができる。例えば、図６の（ｂ）の図には、吊り具５の上下位置を変化させて、持ち上がり距離Ｓが、約０、５、１０、１５ｃｍになった場合の、牽引力（吊り荷重）Ｐの値（約４、５、７、１０Ｋｇ）を示している。
【００５０】
このように、この入浴式頭部牽引器具１では、吊り位置変更具４により吊り具５の上下位置Ａを変えて、入浴者Ｍに作用する浮力Ｆの大きさを変えることにより、頭部Ｍ１に作用する牽引力Ｐを少しずつ変えることができるので、頸椎等にある程度以上のゆがみを有するものでも、その症状に応じて、牽引力Ｐを切り換えつつ、頸椎等のゆがみを直して健康増進を図ることができる。
【００５１】
ここで、牽引力Ｐの大きさは、図８で示されるように、バネ等利用した荷重計６をフック３と吊り位置変更具４間（又は吊り位置変更具４中や、吊り位置変更具４と吊り具５との間であってもよい）に設けることにより計測できる。この方法では、入浴者Ｍ自身には、荷重計６の値が見えないので、この荷重計６からの荷重信号を手元の表示部に伝え、この表示部によって牽引力Ｐをデジタル表示できるようにしてもよい。なお、荷重計６には、上部に吊りリング６ａ、下部にフック６ｂがそれぞれ設けられている。
【００５２】
つぎに、この入浴式頭部牽引器具１で使用される支持具２の変更実施例を図９〜図１５を参照しつつ説明する。
図９は浴槽１００の長手方向の両端壁部１０４，１０５に取り付けられる支持具２Ａを示している。この支持具２Ａを用いた場合でも、水平部２３の、浴槽１００の背もたれ部１０６側に、吊り位置変更具４等を介して、吊り具５を吊すことにより、入浴者Ｍは頭部Ｍ１を楽に牽引することができる。
【００５３】
図１０は、溝Ｕの幅を変更できる固定部２１Ａを示している。この固定部２１Ａでは、つまみ２１ｃを回転させて押し板２１ｄを移動することにより、溝Ｕの幅を簡単に変えることができるので、壁部１０３・・の厚さが種々に変化しても、この固定部２１を浴槽１００に容易に取り付けることができる。
【００５４】
図１１は、幅サイズが異なる種々の浴槽１００に使用できる支持具２Ｂを示している。この支持具２Ｂでは、水平部２３を長く形成するとともに、水平部２３の一端側と垂直部２２とを連結する連結部２６をＴ形で、かつ、水平部２３が貫通できるように形成している。この支持具２Ｂでは、水平部２３の一端側が連結部２６を貫通できるので、水平部２３の支持部の長さを浴槽１００の幅サイズに合わせることができ、この支持具２Ｂを種々の幅サイズの浴槽１００に取り付けることができる。
【００５５】
また、支持具２Ｂには、浴槽１００の壁部１０３の厚さが厚い場合に使用される吸盤付きの固定部２５が用いられている。この固定部２５は、基板２５ａにパイプ部２５ｂと２つの吸盤部６０，６０とが取り付けられていて、吸盤部６０の吸盤６３（図１２参照）を壁部１０３の上面に吸着させることにより、浴槽１００に固定される。吸盤部６０の詳細は図１２に示されている。基板２５ａの下面側凹部２５ａ−１には、基板２５ａを上下動自在に貫通する支持棒６１の下端に、支持板６２を介して吸盤６３が支持されており、支持棒６１の上端には、支持ピン６５を介して加圧ハンドル６４が回動自在に取り付けられている。吸盤６３を壁部１０３の上面に押し付けた状態で、加圧ハンドル６４を支持ピン６５を中心に回動させ、突部６４ａを基板２５ａに加圧することにより、支持棒６１とともに吸盤６３が持ち上がって、これが壁部１０３の上面を強く吸着する。
【００５６】
図１３は、棒状の支持具２Ｃを示している。この支持具２Ｃは、一般に衣類等かけ用の突っ張り棒（衣類収納室等で使用されるもの）として市販されているものであり、浴槽１００を挟んで対向するように設けられている一対の浴室壁面Ｗ、Ｗ間に取り付けられる。この支持具２Ｃは、パイプ状の本体部７０と、この本体部７０の一端側に同軸状に差し込まれる、やや小径の伸縮部７１と、本体部７０内のねじ部にねじ込まれて軸方向に移動可能であるとともに、伸縮部７１の一端側が貫通するように差し込まれており、かつ、伸縮部７１と一体になって回転可能な移動部７２と、移動部７２と伸縮部７１の拡径部７１ａとの間に設けられ、伸縮部７１を軸方向に加圧するバネ部材７３とから構成されている。
【００５７】
この支持具２Ｃを浴室壁面Ｗ，Ｗ間に取り付けるには、伸縮部７１を本体部７０に対して回転させて移動部７２を軸方向に動かし、支持具２Ｃの全長を浴室壁面Ｗ，Ｗ間の長さより所定量だけ長くした状態で、伸縮部７１をバネ部材７３のバネ力に抗しつつ、所定量だけ本体部７０内に押し込んで、この支持具２Ｃを浴室壁面Ｗ，Ｗ間に水平に配置すればよい。支持具２Ｃは、両端がバネ力により浴室壁面Ｗ，Ｗに加圧されて、この浴室壁面Ｗ，Ｗに容易に取り付けられる。もちろん、この支持具２Ｃには、既存の衣類等かけ用の突っ張り棒が利用できるので、器具１のコストの低減を図ることもできる。
【００５８】
図１４は、片持式の支持具２Ｄを示している。この支持具２Ｄは、浴槽１００の背もたれ部１０６側の壁部に接する浴室壁面Ｗに取り付けられるものであり、浴室壁面Ｗにねじにより取り付けられる固定部としての基板８０と、基板８０に回動自在に支持されるアーム部としての支持板８１とから構成されている。基板８０には、図１５で示されるように、支持板８１を受ける一対の受け部８０ａ，８０ａが上下に形成され、この受け部８０ａに支持孔Ｖが形成されている。また、支持板８１には、一端側に一対の突部８１ａ，８１ｂが形成され、この突部８１ａ，８１ｂに、基板８０の支持孔Ｖに回動自在に差し込まれる、突起部Ｔが形成されている。また、支持板８１には、他端側に、フック３をかけるためのやや細くなった支持部８１ｃが形成されている。なお、支持板８１は、やや上方に持ち上げることにより、突起部Ｔが支持孔Ｖからはずれるので、基板８０から取り外すことができるようになっている。
【００５９】
頭部Ｍ１を牽引するために、入浴者Ｍが入浴する場合には、支持板８１を基板８０に対して直交するように取り付けるか、又は浴室壁面Ｗ側から基板８０に対して直交するように回動させ、支持板８１の支持部８１ｃ側にフック３を介して、吊り位置変更具４や吊り具５を支持させるようにする。また、他の入浴者が入浴する場合には、支持板８１を基板８０と平行になるように、浴室壁面Ｗ側に回動させておくか、支持板８１を基板８０から取り外しておく。したがって、この支持具２Ｄは、これ自体又は基板８０が浴室壁面Ｗに取り付けたままであっても、これらが他の入浴者の入浴のじゃまになることはない。このため、頭部Ｍ１を牽引する場合でも、入浴者Ｍは、支持具２Ｄによる支持の準備を容易になすことができる。
【００６０】
また、図１５で示されるように、基板８０に吸盤部６０が取り付けられている場合には、必要時のみ、４つの吸盤部６０を介して、支持具２Ｄを浴室壁面Ｗに取り付けるようにし、不要な場合は取り外しておく。この場合、吸盤部６０の構成は、固定部２５に設けられたものと同一である。
【００６１】
なお、吊り位置変更具４には、くさりの他に、下端にフックが取り付けられ、長手方向に多数の吊りリングが設けられた紐状のものや、回転をストップさせる機構がついた爪車に、下端にフックが取り付けられたチェーンを巻いたものや、支持具２の支持部側に巻き上げ可能で、下端にフックがつけられたベルト状のものなど、種々のものが考えられる。
【００６２】
また、支持具２は、浴室壁面Ｗと浴槽１００の両方に固定されるものであってもよい。さらに、吊り具５は、頭部を上方に牽引して、頸椎等を引き延ばせるものであれば、その形状等はどのようなものであってもよい。
【００６３】
また、吊り具５で頭部を牽引しつつ入浴する場合に、吊り具５による牽引力（吊り荷重）Ｐを変更する方法として、浴槽１００内の湯Ｑの量を増減し、湯面Ｑ１の位置を変更することにより、入浴者Ｍに加わる浮力Ｆを増減するようにしてもよい。例えば、大きな牽引力Ｐで頭部Ｍ１を牽引する日には、予め浴槽１００中の湯Ｑの量を所定量まで減少させておき、頭部Ｍ１を牽引する入浴が終了して、他の入浴者が入浴する場合には、その後、浴槽１００に湯Ｑを加えるようにする。
【００６４】
さらに、頭部を牽引する場合に、入浴者Ｍは、足先を浴槽１００の底部につけず、体の一部（たとえば、手）を浴槽１００につけて、体のバランスをとるようにしてもよい。
【図面の簡単な説明】
【００６５】
【図１】この発明の一実施の形態に係る入浴式頭部牽引器具の外観斜視図である。
【図２】図１で示される吊り位置変更具と吊り具等の拡大斜視図である。
【図３】吊り位置変更具の大リングに設けられた開閉部の説明図である。
【図４】吊り具を頭部に装着した状態を示す図である。
【図５】入浴式頭部牽引器具の作用説明図である。
【図６】牽引力を変化させる場合の説明図であり、（ａ）は入浴者が浴槽の湯面から上体をやや出している状態を示す図であり、（ｂ）は種々の持ち上がり距離に対して牽引力の値を示す図である。
【図７】足先を浴槽の壁部上にもたせて入浴しつつ、頭部の牽引を行っている状態を示す図である。
【図８】支持具と吊り位置変更具との間に荷重計をつけた状態を示す図である。
【図９】第１の変更実施例に係る支持具を浴槽上に設置している状態の斜視図である。
【図１０】支持具の他の固定部の斜視図である。
【図１１】第２の変更実施例に係る支持具を浴槽上に設置している状態を示す斜視図である。
【図１２】図１１で示される支持具の一方の固定部に設けられた吸盤部の作用説明図であり、（ａ）は吸着前の状態を示し、（ｂ）は吸着時の状態を示す図である。
【図１３】第３の変更実施例に係る支持具を用いて入浴者が頭部を牽引している状態を示す図である。
【図１４】第４の変更実施例に係る支持具を用いて入浴者が頭部を牽引している状態を示す図である。
【図１５】図１４で示される支持具の拡大斜視図である。
【符号の説明】
【００６６】
１    入浴式頭部牽引器具
２，２Ａ，２Ｂ，２Ｃ，２Ｄ  支持具
４    吊り位置変更具
５    吊り具
２３    水平部
８０    基板（固定部）
８１    支持板（アーム部）
１００    浴槽
１０２，１０３，１０４，１０５  浴槽壁部
Ｍ    入浴者
Ｍ１  頭部
Ｆ    浮力
Ｐ    牽引力
Ｗ    浴室壁面
【図１】
2005218467.tif 000003
【図２】
2005218467.tif 000004
【図３】
2005218467.tif 000005
【図４】
2005218467.tif 000006
【図５】
2005218467.tif 000007
【図６】
2005218467.tif 000008
【図７】
2005218467.tif 000009
【図８】
2005218467.tif 000010
【図９】
2005218467.tif 000011
【図１０】
2005218467.tif 000012
【図１１】
2005218467.tif 000013
【図１２】
2005218467.tif 000014
【図１３】
2005218467.tif 000015
【図１４】
2005218467.tif 000016
【図１５】
2005218467.tif 000017